(57)【要約】【課題】ディスク装置において、ディスク搬入出用のトレイの開口（逃がし開口）から侵入した塵埃が配線基板の上に堆積することを防ぐ。【解決手段】回転駆動されるディスクＤの記録面に対向してそのディスクの半径方向に走行駆動される光ピックアップ３と、配線基板４とを、上面開放の箱形外囲体に収容する。外囲体の上側開口に、光ピックアップ３の走行を許容する逃がし開口５５を備えたトレイ５１が配備されるようになっている。外囲体の内部空間に、逃がし開口５５から侵入した塵埃を受け止めるシート６を配備する。シート６は、光ピックアップ３の走行領域を挟む両側のシート支持体６１，６１に定位置走行可能に巻き掛け、かつ、光ピックアップ３に無端状に連結する。シート６の表面に粘着剤を塗布して塵埃保持性を具備させる。【選択図】        図２
2004310914.tif 000002
【特許請求の範囲】
【請求項１】
ターンテーブルによって回転駆動されるディスクの記録面に対向してそのディスクの半径方向に走行駆動される光ピックアップと、この光ピックアップの下方に配備された配線基板と、が上面開放の箱形外囲体に収容され、その外囲体の上側開口に、上記光ピックアップの走行を許容する逃がし開口を備えた板状体が配備されているディスク装置において、
上記板状体が、上記外囲体の上面開口箇所とその外囲体の外部との間で出退されて上記ディスクの上記ターンテーブルに対する搬入出を行うためのディスクローディングトレイでなり、
上記外囲体の内部空間に、上記配線基板の上記逃がし開口との対向箇所を覆ってその逃がし開口から侵入した塵埃を受け止めるシートが配備され、このシートが、上記光ピックアップの走行領域を挟む両側に配備されてそのシートを定位置走行可能に支持するシート支持体に巻き掛けられ、かつ、上記光ピックアップに無端状に連結されていると共に、当該シートが、上記逃がし開口から侵入した塵埃を受け止めて保持する塵埃保持性を備え、その塵埃保持性が当該シートに付与された粘着性であることを特徴とするディスク装置。
【請求項２】
ターンテーブルによって回転駆動されるディスクの記録面に対向してそのディスクの半径方向に走行駆動される光ピックアップと、この光ピックアップの下方に配備された配線基板とが上面開放の箱形外囲体に収容され、その外囲体の上側開口に、上記光ピックアップの走行を許容する逃がし開口を備えた板状体が配備されているディスク装置において、
上記外囲体の内部空間に、上記配線基板の上記逃がし開口との対向箇所を覆ってその逃がし開口から侵入した塵埃を受け止めるシートが配備されていることを特徴とするディスク装置。
【請求項３】
上記シートが、上記光ピックアップの走行領域を挟む両側に配備されてそのシートを定位置走行可能に支持するシート支持体に巻き掛けられ、かつ、上記光ピックアップに無端状に連結されていると共に、当該シートが、上記逃がし開口から侵入した塵埃を受け止めて保持する塵埃保持性を備えている請求項２に記載したディスク装置。
【請求項４】
上記シートの塵埃保持性が、当該シートに付与された粘着性である請求項３に記載したディスク装置。
【発明の詳細な説明】
【０００１】
【発明の属する技術分野】
本発明は、ディスク装置、特に、光ピックアップの下方に配線基板が配備されていて、それらの光ピックアップ及び配線基板が共通の箱形外囲体に収容されているディスク装置に関する。
【０００２】
【従来の技術】
従来より知られている光学式のディスク装置は、上面開放の箱形外囲体に光ピックアップ及び配線基板が収容されていて、ターンテーブルによって回転駆動されるディスクの記録面を上記光ピックアップが半径方向に走査するようになっている。また、上記外囲体の上面開口箇所とその前側外部との間で出退されるディスクローディングトレイを備えていて、そのトレイによってディスクがローディング位置に対して搬入出されるようになっている。そして、このトレイには、ディスクをローディング位置に搬入した後、上記外囲体の上面開口箇所で光ピックアップの走行を許容する逃がし開口が備わっている。
【０００３】
一方、先行例には、光ピックアップ上に塵埃が堆積してデータ読取りエラーなどが発生することを防ぐために、ディスク装置全体をカバーなどで密閉することが提案されている（特許文献１又は特許文献２参照）。
【０００４】
【特許文献１】
特開２００２−１３３８４３号公報
【特許文献２】
特開平８−２５５４７４号公報
【０００５】
【発明が解決しようとする課題】
しかしながら、上記した従来のディスク装置において、トレイの逃がし開口の下方の光ピックアップの走行領域は、光ピックアップの走行を許容させる必要があるために空間となっている。そのため、トレイの逃がし開口から外囲体の内部に侵入した塵埃が、光ピックアップの下方に配備されている配線基板の上に堆積してその配線基板の電気的性能や放熱性能を損ない、誤動作や部品破損の原因になるおそれがあるという問題があった。
【０００６】
これに対し、特許文献１又は特許文献２によって提案されている先行例はいずれも光ピックアップに塵埃が堆積することを防ぐ技術であって、トレイの逃がし開口から外囲体の内部に侵入した塵埃が配線基板の上に堆積することを防ぐ技術ではないので、これらの先行例によって提案されている技術によっては、上記問題点を改善することはできない。
【０００７】
本発明は以上の問題や事情に鑑みてなされたものであり、外囲体の内部に塵埃が侵入するおそれを少なくしたり、外囲体に侵入した塵埃が配線基板の上に堆積したりすることを抑制することのできるディスク装置を提供することを目的とする。
【０００８】
【課題を解決するための手段】
本発明に係るディスク装置は、ターンテーブルによって回転駆動されるディスクの記録面に対向してそのディスクの半径方向に走行駆動される光ピックアップと、この光ピックアップの下方に配備された配線基板とが上面開放の箱形外囲体に収容され、その外囲体の上側開口に、上記光ピックアップの走行を許容する逃がし開口を備えた板状体が配備されているディスク装置において、上記外囲体の内部空間に、上記配線基板の上記逃がし開口との対向箇所を覆ってその逃がし開口から侵入した塵埃を受け止めるシートが配備されている、というものである。これによれば、板状体の逃がし開口から塵埃が侵入したとしても、その塵埃がシートによって受け止められて配線基板の上に堆積するという事態が生じなくなる。
【０００９】
本発明では、上記シートが、上記光ピックアップの走行領域を挟む両側に配備されてそのシートを定位置走行可能に支持するシート支持体に巻き掛けられ、かつ、上記光ピックアップに無端状に連結されていると共に、当該シートが、上記逃がし開口から侵入した塵埃を受け止めて保持する塵埃保持性を備えていることが望ましい。この構成であれば、光ピックアップの走行領域の両側のシート支持体に巻き掛けられた無端状のシートが、ディスクの半径方向に走行駆動される光ピックアップの走行に追従して定位置走行するので、シートをもともと空間であった箇所に無理なく配備することができるという利点が発揮されると共に、光ピックアップが走行領域のどの箇所に位置していても、その光ピックアップの両側にシートが配備された状態になって、上記逃がし開口から侵入した塵埃がそのシートによって受け止められる。しかも、シートは、塵埃を受け止めて保持する塵埃保持性を備えているので、光ピックアップに追従して定位置走行するシートの反転によって、シートに一旦受け止められた塵埃がその下方の配線基板の上に落下して堆積するという事態が生じない。シートの塵埃保持性は、粘着剤を当該シートの表面に塗布して付与することの粘着性であってもよい。また、シートの塵埃保持性は、シートを静電気に帯電させることによって発揮される塵埃保持性であってもよい。
【００１０】
本発明において、上記板状体は、上記外囲体の上面開口箇所とその外囲体の外部との間で出退されて上記ディスクの上記ターンテーブルに対する搬入出を行うためのディスクローディングトレイでなるという構成を採用することが可能である。これによれば、板状体が上記トレイと同一の構成部材によって兼用される。
【００１１】
【発明の実施の形態】
図１は本発明に係るディスク装置の要部を説明的に示した概略平面図、図２は同要部を説明的に示した概略縦断面図、図３は変形例によるシートを用いた場合の同要部を説明的に示した概略縦断面図である。
【００１２】
図１において、１はシャーシで、このシャーシ１の所定箇所にターンテーブル２が図示していない駆動モータＭ（図２又は図３参照）を介して配備されている。また、シャーシ１には開口１２が備わっていて、この開口１２の口内領域で光ピックアップ３がターンテーブル２に対する遠近方向、すなわちターンテーブル２によって回転駆動されるディスクＤの半径方向に走行駆動されるようになっている。光ピックアップ３を走行させるための駆動源となるモータは図示していない。
【００１３】
図２又は図３のように、光ピックアップ３の下方に配線基板４が配備されていて、この配線基板４と光ピックアップ３とが、図示していない偏平な箱形外囲体に収容されている。そして、その外囲体の上側開口に板状体５が配備されている。図例では、この板状体５がディスクローディングトレイ５１でなる。冒頭で説明したように、このトレイ５１は、外囲体の上面開口箇所とその外囲体の前側外部との間で矢印Ｆのように出退されて上記ディスクの上記ターンテーブルに対する搬入出を行うために設けられているものであって、外囲体の上面開口箇所に位置している状態が図２又は図３に示されている。トレイ５１には、外囲体の上面開口箇所に位置しているときに光ピックアップ３の走行を許容する逃がし開口５５が備わっていて、図１には、この逃がし開口５５の位置を二点鎖線で示してある。
【００１４】
以上の構成を備えたディスク装置では、外囲体の前側外部に突出されたトレイ５１に対してディスクの着脱が行われ、ディスクが載架されたトレイ５１が図１又は図３で示した外囲体の上面開口箇所まで後退することによってディスクがローディング位置に搬入され、ディスクが載架されたトレイ５１が図１又は図３で示した外囲体の上面開口箇所から上記前側外部まで突出することによってディスクがアンローディング位置に搬出される。そして、トレイ５１によってローディング位置に搬入されたディスクは、図１に示したシャーシ１が上動することによってトレイ５１からターンテーブル２に受け渡され、しかも、図示していないチャッキング機構によりチャッキングされてターンテーブル２に固定される。そして、ターンテーブル２によって回転駆動されるディスクＤに対して光ピックアップ３が図１の矢印Ａのようにディスク半径方向に走行してディスクＤの記録面が走査される。なお、光ピックアップ３の走行は、上記シャーシ１に設けられたガイドシャフト３１によって案内される。
【００１５】
次に、図２又は図３のように、外囲体の内部空間に、配線基板４におけるトレイ５１の逃がし開口５５との対向箇所を覆って薄肉のシート６が配備されている。このシート６は、トレイ５１の逃がし開口５５から侵入した塵埃を受け止め得る位置に配備されている。
【００１６】
図２の事例では、シート６が、光ピックアップ３の走行領域を挟む両側に配備されてそのシート６を定位置走行可能に支持するシート支持体６１，６１に巻き掛けられ、かつ、そのシート６の両端が光ピックアップ３に連結されて無端状に形作られている。このシート６には、例えばポリエチレンテレフタレート樹脂フィルムのような薄肉の合成樹脂フィルムを好適に採用することが可能である。また、このシート６には、その表面に塵埃保持性が付与されている。図例では、この塵埃保持性が、シート６の表面に粘着剤を塗布することによって付与されている。また、シート支持体６１，６１には、図１に示したシャーシ１に取り付けられた遊転可能なローラを採用することができるほか、シャーシ１に取り付けられてシート６を摺動自在に支持する丸形断面のシャフトなどを採用することが可能である。
【００１７】
図２のように構成されたディスク装置にあっては、シート支持体６１，６１に巻き掛けられた無端状のシート６が、ディスクＤの半径方向Ｒに走行駆動される光ピックアップ３の走行に追従して定位置走行するので、シート６をもともと空間であった箇所に無理なく配備することができ、しかも、光ピックアップ３の走行動作がシート６によって損なわれるという事態も起こらないだけでなく、光ピックアップ３が走行領域のどの箇所に位置していても、その光ピックアップ３の両側にシート６が配備された状態になって、トレイ５１の逃がし開口５５から侵入した塵埃がそのシートによって受け止められるようになる。しかも、シート６は、塵埃を粘着して保持する塵埃保持性を備えているので、光ピックアップ３に追従して定位置走行するシート６が反転して上側経路から下側経路へ移行しても、シート６に一旦受け止められた塵埃がその下方の配線基板４の上に落下して堆積するという事態は生じない。
【００１８】
図２の事例では、シート６の塵埃保持性を粘着性によって発揮させるようにしてあるけれども、この点は、シートを静電気に帯電させ、その静電気によってシートで受け止めた塵埃をそのままシートに保持させるようにしてもよい。
【００１９】
また、図２の事例では、無端状のシート６の上側経路がトレイ５１の逃がし開口５５の直近箇所でその逃がし開口５５を下側から覆う状態にすることが可能であり、そのようにすると、シート６によって逃がし開口５５がその下側から覆われるので、逃がし開口５５からの塵埃の侵入が抑制されて外囲体の内部空間に塵埃が侵入しにくくなる。
【００２０】
図３の事例では、光ピックアップ３と配線基板４との間の空間にシート６を固定配備してある。この構成を採用する場合、シート６の端部や周縁部を外囲体の側壁に固着するというシート固定手段を採用することが可能である。図３の構成であっても、トレイ５１の逃がし開口５５から侵入した塵埃がシート６により受け止められて配線基板４の上に堆積するという事態が起こらなくなる。
【００２１】
以上のように、この実施形態によれば、図２の事例であっても図３の事例であっても、トレイ５１の逃がし開口５５から侵入した塵埃が配線基板４の上に堆積するという事態がシート６によって防止される。そのため、トレイ５１の逃がし開口５５から外囲体の内部に侵入した塵埃が、光ピックアップ３の下方に配備されている配線基板４の上に堆積してその配線基板４の電気的性能や放熱性能を損なったりすることがなくなり、その結果、誤動作や部品破損の原因になるおそれという問題も解消される。
【００２２】
また、この実施形態では、外囲体の上側開口に配備されている板状体に、ディスク搬入出用のトレイを用いてあるけれども、この点は、板状体をトレイとは別部材で構成してもよい。
【００２３】
【発明の効果】
以上のように、本発明によれば、板状体又はトレイの逃がし開口５５から侵入した塵埃が配線基板４の上に堆積するという事態がシートによって防止されるので、トレイの逃がし開口から外囲体の内部に侵入した塵埃が、光ピックアップの下方に配備されている配線基板の上に堆積してその配線基板の電気的性能や放熱性能を損なったりするおそれがなくなる。そのため、誤動作や部品破損が防止されるようになり、配線基板の上に塵埃が堆積することによってディスク装置の耐久性が損なわれたりするという事態が起こりにくくなる。
【図面の簡単な説明】
【図１】本発明に係るディスク装置の要部を説明的に示した概略平面図である。
【図２】同要部を説明的に示した概略縦断面図である。
【図３】変形例によるシートを用いた場合の同要部を説明的に示した概略縦断面図である。
【符号の説明】
２  ターンテーブル
３  光ピックアップ
４  配線基板
５  板状体
６  シート
５１  ディスクローディングトレイ
５５  逃がし開口
６１  シート支持体
Ｄ  ディスク
【図１】
2004310914.tif 000003
【図２】
2004310914.tif 000004
【図３】
2004310914.tif 000005